【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
電池を内蔵する携帯機器(25)を脱着できるように装着する装着部(2)を有するケース(1)と、
このケース(1)内に設けられて、装着部(2)にセットされる携帯機器(25)の電源端子(26)に接触される出力端子部(3A)を有するスプリング線(3)と、
このスプリング線(3)に連結されて、ケース(1)内に傾動できるように配設している傾動体(4)と、
この傾動体(4)に中間部を連結して、両端部には装着部(2)に装着される携帯機器(25)に押される突出部(7)を設けているシーソー片(15)を備えており、
装着部(2)に携帯機器(25)が装着されない状態では、シーソー片(15)が両端の突出部(7)を装着部(2)に突出させて、傾動体(4)が出力端子部(3A)をケース(1)内の引き込み位置とし、かつ、シーソー片(15)の一方の突出部(7)がケース(1)内に向かって押し込まれて、他方の突出部(7)が装着部(2)に突出される状態においては、傾動体(4)が出力端子部(3A)をケース(1)内に引き込み位置として、
装着部(2)に携帯機器(25)が装着されて、シーソー片(15)の両端部の突出部(7)が押されると、シーソー片(15)が中間で傾動体(4)を押して、出力端子部(3A)が携帯機器(25)の電源端子(26)に接触するように出力端子部(3A)をケース(1)外に突出させるようにしてなる充電装置。
【請求項２】
シーソー片(15)の突出部(7)を弾性的にケース(1)外に向かって押し出す弾性片(22)が、プラスチック製の傾動体(4)に一体的に成形されている請求項１に記載される充電装置。
【請求項３】
出力端子部(3A)がケース(1)内に引き込まれる方向に傾動体(4)を弾性的に付勢して傾動させる傾動スプリング(18)をケース(1)内に内蔵している請求項１に記載される充電装置。
【請求項４】
ケース(1)内に回路基板(13)を内蔵しており、この回路基板(13)にスプリング線(3)の一端を連結している請求項１に記載される充電装置。
【請求項５】
シーソー片(15)の突出部(7)を突出させる貫通孔(6)を装着部(2)の底面に設けている請求項１に記載される充電装置。
【請求項６】
電池を内蔵する携帯機器(25)を脱着できるように装着する装着部(2)を有するケース(1)と、
このケース(1)内に設けられて、装着部(2)にセットされる携帯機器(25)の電源端子(26)に接触される出力端子部(3A)を有するスプリング線(3)と、
このスプリング線(3)に連結されて、ケース(1)内に傾動できるように配設している傾動体(4)と、
この傾動体(4)に中間部を連結して、両端部には装着部(2)に装着される携帯機器(25)に押される突出部(7)を設けているレバー片(16)を備えており、
レバー片(16)は、ケース(1)から装着部(2)に突出している突出部(7)を有すると共に、この突出部(7)が携帯機器(25)に押されて傾動するようにケース(1)内に設けられており、さらに、このレバー片(16)は突出部(7)が押される傾動すると、傾動体(4)を傾動させるように端部を傾動体(4)に連結しており、
装着部(2)に携帯機器(25)が装着されない状態では、レバー片(16)が突出部(7)を装着部(2)に突出させて、傾動体(4)は出力端子部(3A)をケース(1)内の引き込み位置とし、装着部(2)に携帯機器(25)が装着されて、レバー片(16)の突出部(7)が押されると、レバー片(16)が先端部で傾動体(4)を押して、出力端子部(3A)が携帯機器(25)の電源端子(26)に接触するように出力端子部(3A)をケース(1)外に突出させるようにしてなる充電装置。
【請求項７】
出力端子部(3A)がケース(1)内に引き込まれる方向に傾動体(4)を弾性的に付勢して傾動させる傾動スプリング(18)をケース(1)内に内蔵している請求項６に記載される充電装置。
【請求項８】
電池を内蔵する携帯機器(25)を脱着できるように装着する装着部(2)を有するケース(1)と、
このケース(1)内に設けられて、装着部(2)にセットされる携帯機器(25)の電源端子(26)に接触される出力端子部(3A)を有するスプリング線(3)と、
このスプリング線(3)に連結されて、ケース(1)内に傾動できるように配設している傾動体(4)と、
この傾動体(4)に連結して、装着部(2)に装着される携帯機器(25)に押される突出部(7)を設けているレバー片(16)を備えており、
レバー片(16)は、ケース(1)から装着部(2)に突出している突出部(7)を有すると共に、この突出部(7)が携帯機器(25)に押されて傾動するようにケース(1)内に設けられており、さらに、このレバー片(16)は突出部(7)が押される傾動すると、傾動体(4)を傾動させるように端部を傾動体(4)に連結しており、
装着部(2)に携帯機器(25)が装着されない状態では、レバー片(16)が突出部(7)を装着部(2)に突出させて、傾動体(4)は出力端子部(3A)をケース(1)内の引き込み位置とし、装着部(2)に携帯機器(25)が装着されて、レバー片(16)の突出部(7)が押されると、レバー片(16)が先端部で傾動体(4)を押して、出力端子部(3A)が携帯機器(25)の電源端子(26)に接触するように出力端子部(3A)をケース(1)外に突出させるようにしてなる充電装置。
【手続補正２】
【補正対象書類名】明細書
【補正対象項目名】０００６
【補正方法】変更
【補正の内容】
【０００６】
本発明はさらにこの欠点を解消することを目的に開発されたものである。本発明の重要な目的は、極めて簡単な構造で一対の突出部を押したときに限って出力端子部を装着部に突出できる充電装置を提供することにある。
また、本発明の他の大切な目的は、簡単な構造で、装着部にセットされる携帯機器で押される傾動体の突出部を出力端子部から離して配置して、出力端子部を確実に携帯機器の電源端子に接触できる充電装置を提供することにある。
そして、本発明の他の目的は、突出部と連結した傾動体を備える充電装置を提供することにある。
【手続補正３】
【補正対象書類名】明細書
【補正対象項目名】００１３
【補正方法】変更
【補正の内容】
【００１３】
本発明の充電装置は、出力端子部３Ａがケース１内に引き込まれる方向に傾動体４を弾性的に付勢して傾動させる傾動スプリング１８をケース１内に内蔵することができる。  本発明の充電装置は、電池を内蔵する携帯機器２５を脱着できるように装着する装着部２を有するケース１と、このケース１内に設けられて、装着部２にセットされる携帯機器２５の電源端子２６に接触される出力端子部３Ａを有するスプリング線３と、このスプリング線３に連結されて、ケース１内に傾動できるように配設している傾動体４と、この傾動体４に連結して、装着部２に装着される携帯機器２５に押される突出部７を設けているレバー片１６を備えている。レバー片１６は、ケース１から装着部２に突出している突出部７を有すると共に、この突出部７が携帯機器２５に押されて傾動するようにケース１内に設けられている。さらに、このレバー片１６は、突出部７が押されて傾動すると、傾動体４を傾動させるように端部を傾動体４に連結している。この充電装置は、装着部２に携帯機器２５が装着されない状態では、レバー片１６が突出部７を装着部２に突出させて、傾動体４は出力端子部３Ａをケース１内の引き込み位置とし、装着部２に傾動体４が装着されて、レバー片１６の突出部７が押されると、レバー片１６が先端部で傾動体４を押して、出力端子部３Ａが携帯機器２５の電源端子２６に接触するように出力端子部３Ａをケース１外に突出させる。
【手続補正４】
【補正対象書類名】明細書
【補正対象項目名】００１６
【補正方法】変更
【補正の内容】
【００１６】
さらに、本発明の請求項６の充電装置は、レバー片を傾動するようにケース内に設けており、レバー片の突出部が携帯機器に押されると、レバー片の先端部で傾動体を押して出力端子部をケース外に突出させるようにしているので、簡単な構造で、装着部にセットされる携帯機器で押される傾動体の突出部を出力端子部から離して配置して、出力端子部を確実に携帯機器の電源端子に接触できる特長がある（第２実施例に対応している）。
また、本発明の充電装置は、レバー片は傾動体に連結しているので、レバー片は、突出部が押されて傾動すると、傾動体を傾動させる。